(57)【要約】【課題】内部に収めた植物の成長に合わせて大きさを容易に変えることができるようにした植物栽培装置を提供する。【解決手段】植物栽培装置１は、植物１０１を載置する載置台１０と天井部３０とにこれらを連結する支柱４０を取り付ける複数の支柱取付部１２，１３，３１２，３２３を設け、支柱４０および該支柱４０を取り付ける支柱取付部１２，１３，３１２，３２３の少なくとも一方を植物の育成度合いに合わせて選択して天井部３０と載置台１０とを連結し、載置台１０と天井部３０との間の容積を変更可能とした。【選択図】図１
2014147324.tif 000002
【特許請求の範囲】
【請求項１】
栽培培地に植えられた植物を収容して栽培するとともに収容した植物を外部から観賞できる植物栽培装置において、
栽培培地に植えられた植物を載置するための載置台と、該載置台の上方に配設された天井部と、該天井部と前記載置台とを連結する支柱と、前記載置台に置かれた植物に向けて光を照射するための、前記天井部に配設された光源とを備え、
前記載置台および前記天井部それぞれは、前記支柱を着脱可能に取り付ける複数の支柱取付部を有し、
前記支柱および該支柱を取り付ける支柱取付部の少なくとも一方を前記植物の育成度合いに合わせて選択して前記天井部と前記載置台とを連結し、該載置台と前記天井部との間の容積を変更可能としたことを特徴とする植物栽培装置。
【請求項２】
前記天井部および前記載置台の少なくとも一方は、中心となる中心部材と、該中心部材に着脱可能に組み合わせて該中心部材を拡張可能な拡張部材とを有することを特徴とする請求項１に記載の植物栽培装置。
【請求項３】
前記支柱を長さの異なるものと変更することによって前記載置台から前記天井部までの高さの変更を可能としたことを特徴とする請求項１または２に記載の植物栽培装置。
【請求項４】
前記支柱は、その延びる方向に継ぎ足し可能なものであり、前記載置台から前記天井部までの高さを変更可能としたことを特徴とする請求項１，２または３に記載の植物栽培装置。
【発明の詳細な説明】
【技術分野】
【０００１】
本発明は、栽培培地に植えられた植物を収容して栽培するとともに収容した植物を外部から観賞できる植物栽培装置に関する。
【背景技術】
【０００２】
従来の植物栽培装置としては、例えば特許文献１に示すようなものがある。
すなわち、透過性のあるボトル体、該ボトル体の下開口部に装着するカップ台、ボトル体の上開口部に装着する蓋体から構成されており、カップ台には栽培培地を充填し、該充填した栽培培地に植物を植え込むようにした植物栽培ボトルである。この植物栽培ボトルの蓋体下側には発光装置が設けられており、低光源下または無光環境であっても明瞭に観賞することができる。これにより、ボトル体内の栽培培地に植えた植物を育成しながらいつでも観賞することができる。
【先行技術文献】
【特許文献】
【０００３】
【特許文献１】実用新案登録第３１７８３６２号公報
【発明の概要】
【発明が解決しようとする課題】
【０００４】
しかしながら、このような従来の技術では、植物の成長が進んで背丈が高くなるとボトル本体の蓋体につかえてしまうようになり、より高さのある植物栽培ボトルに植え替えなければならなかった。
【０００５】
また、成長が進んで横方向に広がる度合いが大きくなるものも有り、高さが有るとともに横方向にもより広い植物栽培ボトルに植え替えなければならなかった。
【０００６】
このため、植物の成長に合わせて、或いは植物の種類に合わせて、高さや大きさの異なる複数の植物栽培ボトルを用意しなければならず、このことは、費用が掛かるとともに使用していない植物栽培ボトルの片付け場所を確保しなければならないという問題点となっていた。
【０００７】
また、複数の植物栽培ボトルを用意せずに植物の成長を見越して始めから高さや横方向の広がりに余裕のある大きい植物栽培ボトルを使用することが考えられるが、植物栽培ボトルが植物に対して大き過ぎてアンバランスであると見栄えが悪いものとなる。
【０００８】
本発明は、このような従来の技術が有する問題点に着目してなされたもので、内部に収めた植物の成長に合わせて大きさを容易に変えることができるようにした植物栽培装置を提供することを目的としている。
【課題を解決するための手段】
【０００９】
前述した目的を達成するための本発明の要旨とするところは、次の各項の発明に存する。
［１］栽培培地（１００）に植えられた植物（１０１）を収容して栽培するとともに収容した植物（１０１）を外部から観賞できる植物栽培装置（１）において、
栽培培地（１００）に植えられた植物（１０１）を載置するための載置台（１０，１１０）と、該載置台（１０，１１０）の上方に配設された天井部（３０，１３０）と、該天井部（３０，１３０）と前記載置台（１０，１１０）とを連結する支柱（４０）と、前記載置台（１０，１１０）に置かれた植物（１０１）に向けて光を照射するための、前記天井部（３０，１３０）に配設された光源（５０）とを備え、
前記載置台（１０，１１０）および前記天井部（３０，１３０）それぞれは、前記支柱（４０）を着脱可能に取り付ける複数の支柱取付部（１２，１３，１１２，１１３）を有し、
前記支柱（４０）および該支柱（４０）を取り付ける支柱取付部（１２，１３，１１２，１１３）の少なくとも一方を前記植物（１０１）の育成度合いに合わせて選択して前記天井部（３０，１３０）と前記載置台（１０，１１０）とを連結し、該載置台（１０，１１０）と前記天井部（３０，１３０）との間の容積を変更可能としたことを特徴とする植物栽培装置（１）。
【００１０】
［２］前記天井部（３０，１３０）および前記載置台（１０，１１０）の少なくとも一方は、中心となる中心部材（３１，１３１）と、該中心部材（３１，１３１）に着脱可能に組み合わせて該中心部材（３１，１３１）を拡張可能な拡張部材（３２，３３，３４，１３２，１３３）とを有することを特徴とする［１］に記載の植物栽培装置（１）。
【００１１】
［３］前記支柱（４０）を長さの異なるものと変更することによって前記載置台（１０，１１０）から前記天井部（３０，１３０）までの高さの変更を可能としたことを特徴とする［１］または［２］に記載の植物栽培装置（１）。
【００１２】
［４］前記支柱（４０）は、その延びる方向に継ぎ足し可能なものであり、前記載置台（１０，１１０）から前記天井部（３０，１３０）までの高さを変更可能としたことを特徴とする［１］，［２］または［３］に記載の植物栽培装置（１）。
【００１３】
前記本発明は次のように作用する。
［１］の植物栽培装置（１）は、栽培培地（１００）に植えられた植物（１０１）を載置台（１０，１１０）に置いて育成したり、観賞したりすることができる。この際、天井部（３０，１３０）の中心部材（３１，１３１）に設けた光源（５０）で植物（１０１）に光を照射することにより、育成を促進することができ、また、観賞する際にも趣の異なる観賞ができたり、暗所でも観賞することができたりする。
【００１４】
これから育成しようとする植物（１０１）は、まだ背丈が低く横方向への広がりも小さい。したがって、植物栽培装置（１）は、天井部（３０，１３０）および載置台（１０，１１０）に設けた複数の支柱取付部（１２，１３，１１２，１１３）に支柱（４０）を取り付ける際に、取り付けた支柱（４０）が囲む領域の容積が小さくなるように支柱取付部（１２，１３，１１２，１１３）を選択したり、短い支柱（４０）を選択したりして組み立てておき、載置台（１０，１１０）に植物（１０１）を載せればよい。
【００１５】
育成が進んで例えば、植物（１０１）が水平方向に広がってきた場合には、支柱（４０）と天井部（３０，１３０）の中心部材（３１，１３１）とを載置台（１０，１１０）から取り外して、載置台（１０，１１０）と前記天井部（３０，１３０）との間の容積を変更する。このためには、植物（１０１）を植物栽培装置（１）から取り出し、支柱（４０）が囲む領域が広がるように支柱（４０）を取り付ける支柱取付部（１２，１３，１１２，１１３）を選択変更する。
【００１６】
また、育成が進んでも水平方向にはほとんど広がらず、背丈が伸びたような場合には、支柱（４０）の取付位置は変更せずに、支柱をより長いものに変えればよい。あるいは、支柱（４０）を継ぎ足して載置台（１０，１１０）から天井部（３０，１３０）までの高さが高くなるようにしてもよい。
【００１７】
［２］の植物栽培装置（１）では、天井部（３０，１３０）および載置台（１０，１１０）のうち、例えば天井部（３０，１３０）が中心部材（３１，１３１）と拡張部材（３２，３３，３４，１３２，１３３）とを有してなる場合には、始めに、植物栽培装置（１）は、天井部（３０，１３０）を中心部材（３１，１３１）だけにして組み立てておき、載置台（１０，１１０）に植物（１０１）を置けばよい。
【００１８】
育成が進んで例えば、植物（１０１）が水平方向に広がってきた場合には、支柱（４０）と天井部（３０，１３０）の中心部材（３１，１３１）とを載置台（１０，１１０）から取り外して、載置台（１０，１１０）と前記天井部（３０，１３０）との間の容積を変更する。このためには、植物（１０１）を植物栽培装置（１）から取り出し、支柱（４０）を載置台（１０，１１０）および天井部（３０，１３０）の中心部材（３１，１３１）から取り外す。
【００１９】
次に中心部材（３１，１３１）に拡張部材（３２，３３，３４，１３２，１３３）を取り付けて天井部（３０，１３０）を拡張させる。載置台（１０，１１０）には、拡張部材（３２，３３，３４，１３２，１３３）の支柱取付部（３２３，３３３，３４３，１３２３，１３３３）に上端を取り付けた支柱（４０）の下端を取り付けることができる位置に設けられている支柱取付部（１３，１１３）に支柱（４０）を取り付けておく。
【００２０】
次に、支柱（４０）の上端を拡張部材（３２，３３，３４，１３２，１３３）の支柱取付部（３２３，３３３，３４３，１３２３，１３３３）に取り付ければよい。これにより、載置台（１０，１１０）と天井部（３０，１３０）との間の空間が水平方向に広がって容積が拡大するので、水平方向に広がった植物（１０１）を載置台（１０，１１０）に置いて、植物（１０１）の育成および観賞をすることができる。
【００２１】
［３］の植物栽培装置（１）では、育成によって植物（１０１）の背丈が伸び、横方向への広がりがない場合に対して、載置台（１０，１１０）と天井部（３０，１３０）とを連結する支柱（４０）を長いものに取り替えることによって載置台（１０，１１０）から天井部（３０，１３０）までの高さを増した状態にすることで対応することができる。
【００２２】
同様の場合に［４］の植物栽培装置（１）では、支柱（４０）を継ぎ足して長くすることによって載置台（１０，１１０）から天井部（３０，１３０）までの高さを増した状態にすることができる。
【００２３】
さらに［３］および［４］の植物栽培装置（１）では、植物（１０１）の背丈が伸びるとともに横方向の広がった場合には、［２］と同様に天井部（３０，１３０）の中心部材（３１，１３１）に拡張部材（３２，３３，３４，１３２，１３３）を組み合わせて天井部（３０，１３０）を拡張することも併せて行うことによって対応することができる。
【発明の効果】
【００２４】
本発明にかかる植物栽培装置によれば、支柱によって載置台に連結された天井部を変えることができるので、載置台に置いた植物が生育して横に広がった場合には、天井部を拡張することによって植物を収容する載置台と天井部との間の収容空間を横方向に広げて容積を拡大することができ、以って植物の育成状態に合った適切な大きさの収容空間に植物を載置して育成および観賞をすることができる。
【００２５】
また、植物が生育して背丈が伸びた場合には、支柱を長いものに取り替えるか支柱を継ぎ足すかすることにより、載置台から天井部までの高さを高くすることができ、以って植物の育成状態に合った適切な大きさの収容空間に植物を載置して育成および観賞をすることができる。
【００２６】
さらに、植物が生育して横に広がるとともに背丈が伸びた場合には、天井部を拡張するとともに支柱を長くすることにより、植物の育成状態に合った適切な大きさの収容空間に植物を載置して育成および観賞をすることができる。
【図面の簡単な説明】
【００２７】
【図１】本発明の第１の実施の形態に係る植物栽培装置の構成の概略を示す模式図である。
【図２】図１とは異なる状態にした植物栽培装置の構成の概略を示す模式図である。
【図３】図１および図２とは異なる状態にした植物栽培装置の構成の概略を示す模式図である。
【図４】図１における載置台を示す平面図である。
【図５】（Ａ）は天井部を構成する中心部材を示す図であり、（Ｂ）は中心部材に組み合わせる拡張部材の一例を示す図であり、（Ｃ）は（Ｂ）の拡張部材とは異なる拡張部材を示す図である。
【図６】（Ａ）は、図５（Ｂ）に示した拡張部材を中心部材に組み合わせた状態を示す説明図であり、（Ｂ）は、図５（Ｃ）で示した拡張部材を中心部材に組み合わせた状態を示す説明図であり、（Ｃ）は、他の拡張部材を中心部材に組み合わせた状態を示す説明図である。
【図７】植物栽培装置の高さを高くして植物を収容する空間を拡張するときの段階を示す説明図である。
【図８】第１の実施の形態における載置台の変形例を示す平面図である。
【図９】図８の載置台とともに使用する中心部材および拡張部材を示す図であり、（Ａ）は中心部材を示す図であり、（Ｂ）は拡張部材の一例を示す図であり、（Ｃ）は（Ｂ）の拡張部材とは異なる拡張部材を示す図である。
【図１０】（Ａ）は、図９の（Ｂ）に示した拡張部材を中心部材に組み合わせた状態を示す説明図であり、（Ｂ）は、図９の（Ｃ）に示した拡張部材を中心部材に組み合わせた状態を示す説明図である。
【図１１】本発明の第２の実施の形態に係る植物栽培装置の構成の概略を分解して示す略図である。
【図１２】図１１の植物栽培装置に仕切り板を介装した状態を分解して示す略図である。
【図１３】本発明の第３の実施の形態における周囲壁片の一例を示す斜視図である。
【図１４】図１３の周囲壁片とは異なる周囲壁片を示す斜視図である。
【図１５】図１４の周囲壁片を２つ連結した状態を示す平面図である。
【図１６】本発明の第３の実施の形態における支柱の一例を示す斜視図である。
【図１７】図１６の支柱の一端面を示す平面図である。
【図１８】図１６の支柱とは異なる形状の支柱の一端面を示す平面図である。
【発明を実施するための形態】
【００２８】
以下、図面に基づき本発明の好適な各種の実施の形態を説明する。
図１から図６までは本発明の第１の実施の形態を示している。
図１から図３までは、本発明の第１の実施の形態に係る植物育成装置の構成の概略を示す模式図である。
【００２９】
図１に示すように、植物栽培装置１は、栽培培地１００に植えられた植物１０１を収容して栽培するとともに収容した植物１０１を外部から観賞することができるものであり、カップＣ等の器に入れた栽培培地１００に植えられた植物１０１を載置するための載置台１０と、該載置台１０の上方に配設された天井部３０と、この天井部３０と載置台１０とを連結する支柱４０とを備えている。
【００３０】
図４は、載置台１０を示す平面図である。図４に示すように、載置台１０は、上面１１に支柱４０を着脱可能に取り付ける複数の支柱取付部１２，１３が形成されている。支柱取付部１２は、天井部３０を後述する中心部材３１のみとする場合に支柱４０が取り付けられる。支柱取付部１３は、天井部３０を中心部材３１と後述する拡張部材３２とを組み合わせたものとする場合に支柱４０が取り付けられる。支柱取付部１２および支柱取付部１３は、いずれも上面１１の対角線上に配設されている。
【００３１】
この載置台１０は、内部に不図示の収納空間が形成されている。この収納空間には、ＡＣアダプター等の電源部等が収容されている。この載置台１０は、内部が見えないように不透明な素材、例えば不透明なプラスチック、金属、木材等のさまざまな素材のものを使用することができる。これにより、配線が観賞者の目に触れることがなく、植物栽培装置１の美観を向上させることができる。載置台１０の支柱取付部１２または支柱取付部１３に取り付けられた支柱４０の上端部には天井部３０が取り付けられている。
【００３２】
植物１０１を植え込まれたカップＣが置かれる載置台１０の上面１１には、四隅に２つずつ支柱取付部１２，１３が形成されている。これらのうち４つの支柱取付部１２を結んで出来る四角形は、載置台１０の中心を中心とする正方形を形成する。また、４つの支柱取付部１３を結んで出来る四角形は、４つの支柱取付部１２が形成する正方形の外側に載置台１０の中心を中心とする正方形を形成する。
【００３３】
図１および図２は、載置台１０の支柱取付部１２と後述する中心部材３１の支柱取付部３１２とに支柱４０を取り付けたときの植物栽培装置１の概略構成を模式的に示したものである。また、図３は、中心部材３１に拡張部材３２を組み合わせて、載置台１０の支柱取付部１３と後述する拡張部材３２の支柱取付部３２３とに支柱４０を取り付けたときの植物栽培装置１の概略構成を模式的に示したものである。
【００３４】
図５は、中心部材３１および拡張部材３２等の拡張部材を示す底面図である。図６は、中心部材３１に拡張部材３２等の拡張部材を組み合わせた状態を示す説明図である。図５及び図６に示すたように、天井部３０は、中心部材３１と、この中心部材３１と組み合わせて天井部３０を拡張するための拡張部材３２，３３，３４を有している。中心部材３１は、載置台１０の上面１１よりも小さい面積を有するものである。
【００３５】
図５の（Ａ）に例示した天井部３０の中心部材３１は、正方形に形成されたものであり、中央寄りに４つの光源５０が配設されている。この光源５０は、植物１０１の育成および観賞のために植物１０１に光を照射することができるものである。この光源５０は、例えばＬＥＤである。
【００３６】
中心部材３１の４つの角付近には支柱４０を取り付けるための支柱取付部３１２が形成されている。支柱取付部３１２は、いずれも中心部材３１の対角線上に配設されている。この４つ支柱取付部３１２と載置台１０の４つの支柱取付部１２とは、支柱取付部１２それぞれに支柱４０を取り付けたときに、支柱取付部３１２それぞれに支柱４０の上端部を取り付けることができる位置関係にある。
【００３７】
図５の（Ｂ）に例示した拡張部材３２は、Ｌ字型に形成された同形のものが４つで一組になっている。各拡張部材３２の角部には、支柱４０を取り付けるための支柱取付部３２３が形成されている。図６の（Ａ）に示すように、これら４つの拡張部材３２は、中心部材３１に取り付けたときに中心部材３１よりも面積が拡張された正方形の天井部３０を構成する。このとき、支柱取付部３２３は、いずれも天井部３０の対角線上に位置している。
【００３８】
これにより、拡張部材３２を中心部材３１に組み合わせた状態で支柱４０の一端部を天井部３０の支柱取付部３２３に取り付けて、支柱４０のもう一方の端部を載置台１０の支柱取付部１３に取り付けることによって天井部３０を載置台１０に連結することにより、載置台１０と天井部３０との間の容積を増大させることができる。このため、植物を収容する空間を植物の生育状態に合わせて横方向に拡大することができる。
【００３９】
拡張部材３２を中心部材３１に組み合わせる手段として例えば中心部材３１の４つの側縁に突起部または凹部を形成しておき、拡張部材３２には、中心部材３１と組み合わせたときに中心部材３１の側縁と接する側縁に凹部または突起部を形成しておき、拡張部材３２を中心部材３１に組み合わせたときに何れか一方の突起部が他方の凹部に嵌入するようにすれば良い。
【００４０】
さらに、図示した例では、４本の支柱４０が一組を成しているが、支柱４０の組は、長さの異なる複数の組を用意しておくとよい。これにより、植物の生育状態に合わせて、支柱４０をより長いものに取り換えることによって植物を収容する空間の高さを高くすることもできる。また、支柱４０を継ぎ足し可能なものとして、図２に示したように継ぎ足した支柱４０の分だけ植物を収容する空間の高さを高くできるようにしてもよい。支柱４０は、一方の端部に雄ねじを形成し、もう一方の端部に雌ねじを形成して雄ねじと雌ねじを螺合させることで継ぎ足せるようにしても良いし、一方の端部に凸部を形成し、凸部を嵌入させることができる凹部をもう一方の端部に形成して、１つの支柱の凸部を他の支柱の凹部に嵌入することによって継ぎ足すことができるようにしても良い。
【００４１】
図５の（Ｃ）に例示した拡張部材３３は、拡張部材３２とは形状が異なるものの例である。図示したものは中心部材３１よりも小さい正方形のものであり、４つの角部のうち、一つの角部に支柱取付部３３３が形成されている。
【００４２】
図６の（Ｂ）は、この拡張部材３３を中心部材３１に取り付けた状態を示している。拡張部材３３の支柱取付部３３３と中心部材３１の支柱取付部３１２とは対角線上に並んでいる。中心部材３１に拡張部材３３を組み合わせた天井部３０Ａは、中心部材３１を拡張した正方形になるのではなく、４つの支柱取付部３３３によって囲まれる正方形の領域が中心部材３１の４つの支柱取付部３１２によって囲まれる正方形の領域よりも大きくなるものである。
【００４３】
拡張部材３２は、中心部材３１に組み合わせると正方形の天井部３０の面積をより大きな正方形に拡張したが、拡張部材３３の場合は、４つの支柱取付部３３３が作る正方形の領域の面積が中心部材３１の面積よりも大きいものとなる。
【００４４】
この拡張部材３３を中心部材３１に組み合わせることによっても拡張部材３２を中心部材３１に組み合わせた場合と同様に、載置台１０と天井部３０との間の容積を増大させて、植物を収容する空間を植物の生育状態に合わせて横方向に拡大することができる。また、植物を収容する空間の高さを高くすることも拡張部材３２を使用した場合と同様に可能である。
【００４５】
図６の（Ｃ）に示した拡張部材３４は、拡張部材３３とは形状が異なり、細長い板状のものである。この拡張部材３４にも一端部に支柱取付部３４３が形成されている。図示したように、中心部材３１に拡張部材３４を組み合わせたときに支柱取付部３４３は中心部材３１の対角線の延長上に位置している。したがって、拡張部材３４は、形状が拡張部材３３とは異なるが、拡張部材３３と同様に載置台１０と天井部３０との間の容積を増大させて、植物を収容する空間を植物の生育状態に合わせて横方向に拡大することができる。また、植物を収容する空間の高さを高くすることもできる。
【００４６】
次に本実施の形態の作用を説明する。
図７は、植物栽培装置１の高さを高くするときの手順を示している。なお、支柱４０は、載置台１０の支柱取付部１３に取り付けられているものとして示してある。
図７の（Ａ）は、植物栽培装置１から天井部３０を外したところを示している。この状態で４本の支柱４０それぞれに１本ずつ支柱４０を継ぎ足して（Ｂ）に示すようにする。
【００４７】
次に、天井部３０の拡張部材３２の支柱取付部３２３に支柱４０を取り付けると（Ｃ）に示したものとなる。これにより、植物を収容するための載置台１０と天井部３０との間の空間の高さが継ぎ足した支柱４０の分だけ高くなる。
【００４８】
支柱４０をさらに継ぎ足して３本の支柱４０を連結した状態にしたものが（Ｄ）に示したものである。この場合は、植物を収容するための載置台１０と天井部３０との間の空間の高さが継ぎ足した２本の支柱４０の分だけ高くなる。このようにして、植物の生育状態に合わせて、載置台１０と天井部３０との間の空間の高さを高くすることができる。
【００４９】
図１に示した植物栽培装置１は、支柱４０の下端部を載置台１０の支柱取付部１２に取り付け、上端部を天井部３０の中心部材３１の支柱取付部３１２に取り付けたものである。この植物栽培装置１に収容した植物の生育が進んだために植物を収容する空間を横方向に拡大する場合には、中心部材３１に例えば拡張部材３２等の拡張部材を組み合わせて、支柱４０の下端部を載置台１０の支柱取付部１３に付け替え、上端部を拡張部材３２の支柱取付部３２３に付け替える。
【００５０】
これにより、図３に示したように植物の生育状態に合わせて、載置台１０と天井部３０との間の空間の広さを横方向に広げることができる。この状態で、前記したように支柱４０を１本あるいはそれ以上の本数を継ぎ足すことによって高さを高くすることもできる。
【００５１】
なお、中心部材３１に配設した光源５０は、例えば中心部材３１内に配線を施して、その端子を中心部材３１の外部を臨むように配設し、一方、載置台１０の内部に収容した電源部からは、載置台１０の外部に引き出した配線の先端部を前記の中心部材３１に配設した端子と接続可能なコネクターとすればよい。他の一例として、支柱４０の内部に配線を施し、支柱４０の一端を載置台１０に取り付けたときに支柱４０内の配線と載置台１０内の配線とが接続できるようにコネクト部を設け、中心部材３１の内部には光源５０から支柱取付部３１２に配線を引いておき、支柱取付部３１２に支柱４０を接続したときに中心部材３１側の配線が支柱４０側の配線と接続できるようにコネクト部を設けてもよい。
【００５２】
また、同様に拡張部材３２を中心部材３１に組み合わせたときに支柱４０の配線が支柱取付部３２３で拡張部材３２の内部に施された配線の一端と接続され、配線の他端が中心部材３１の内部に施された配線に接続されるように、支柱４０と支柱取付部３２３との間と拡張部材３２と中心部材３１の間にコネクト部が設けてもよい。
【００５３】
図８は、第１の実施の形態における載置台１０の変形例を示す平面図であり、図９の（Ａ）は、図８の変形例に合わせた、天井部３０の中心部材３１の変形例を示す底面図であり、（Ｂ）は、図８の変形例に合わせた、天井部の拡張部材３２の変形例を示す底面図であり、（Ｃ）は、拡張部材３２の別の例を示す底面図である。
【００５４】
この変形例では、載置台１１０の形状が正方形の載置台１０に対して円形である点が異なっている。載置台１１０にも載置台１０と同様に４つの支柱取付部１１２と該支柱取付部１１２よりも周縁寄りに４つの支柱取付部１１３が配設されている。支柱取付部１１２は、載置台１１０の中心から等距離に有り、且つ４つの支柱取付部１１２が中心から等角度の間隔となる位置に配設されている。
【００５５】
各支柱取付部１１３は、支柱取付部１１２よりも周縁に近い位置に配設されており、各支柱取付部１１２が配置されている同一半径上に配設されている。なお、支柱取付部１１３は、４つの支柱取付部１１３が載置台１１０の中心から等距離に有り、且つ隣り合う支柱取付部１１３が中心から等角度の間隔となる位置であれば、支柱取付部１１２と同一半径上に配設する必要はない。
【００５６】
図９の（Ａ）に示した中心部材１３１は、中心部材３１の形状が正方形であるのに対して円形である点が異なっている。中心部材１３１にも中心部材３１と同様に４つの光源５０が配設されている。また、４つの支柱取付部１３１２が周縁近傍に等間隔に形成されている。４つの支柱取付部１３１２は、中心部材１３１の中心から等距離に有り、中心から等角度の間隔となる位置に配設されている。
【００５７】
図９の（Ｂ）に示した２つの拡張部材１３２は、それぞれ半円の円弧状のものである。この拡張部材１３２それぞれには、２つの支柱取付部１３２３が形成されている。図１０の（Ａ）に示すように、拡張部材１３２は、中心部材１３１と組み合わせると中心部材１３１よりも面積が拡張された円形の天井部１３０を構成する。このとき、４つの支柱取付部１３２３は、天井部１３０の中心から、すなわち中心部材１３１の中心から等距離に有り、中心から等角度の間隔となる位置に有る。
【００５８】
図９の（Ｃ）に例示した拡張部材１３３は、拡張部材１３２とは形状が異なるものの例である。図示したものは中心部材１３１と略同じ大きさの円板状のものを４等分に分割した形状のものである。拡張部材１３３それぞれは、円弧状の周縁の中央内側に支柱取付部１３３３が１つ形成されている。
【００５９】
図１０の（Ｂ）は、この拡張部材１３３を中心部材１３１に取り付けた状態を示している。拡張部材１３３の支柱取付部１３３３と中心部材１３１の支柱取付部１３１２とは同一半径上に並んでいる。中心部材１３１に拡張部材１３３を組み合わせた天井部１３０Ａは、中心部材１３１を拡張した円形になるのではなく、４つの支柱取付部１３３３を通る円の内側の領域が中心部材１３１の４つの支柱取付部１３１２を通る円の内側の領域よりも大きくなるものである。
【００６０】
拡張部材１３２は、中心部材１３１に組み合わせると円形の天井部１３０の面積をより大きな円形に拡張したが、拡張部材１３３の場合は、４つの支柱取付部１３３３を通る円の領域内側の面積が中心部材１３１の面積よりも大きいものとなる。
【００６１】
この変形例においても、植物の生育状態に合わせて、載置台１１０と天井部１３０との間の空間の広さを横方向に広げたり、高さを高くしたり、横方向に拡張するとともに高さを高くしたりすることは、載置台１０および天井部３０の場合と同様にして行うことが出来る。
【００６２】
次に、本発明の第２の実施の形態を説明する。
図１１から図１２は、本発明の第２の実施の形態を示している。
図１１は、本発明の第２の実施の形態に係る植物栽培装置の一例の概略を示す分解斜視図であり、図１２は、本発明の第２の実施の形態に係る植物栽培装置の別の例の概略を示す分解斜視図である。
【００６３】
図１１および図１２は、載置台６０と天井部８０との間に周囲壁部７０を備えた植物栽培装置２の斜視図である。載置台６０と該載置台６０に取り付けられる下段の周囲壁部７０、この下段の周囲壁部７０の上に取り付けられる上段の周囲壁部７０、この上段の周囲壁部７０に取り付けられる天井部８０は、それぞれ自在に着脱できる。例えば、互いに螺合する雄ねじ部と雌ねじ部によって着脱自在に取り付けられる。図１２では、下段の周囲壁部７０と上段の周囲壁部７０との間に仕切り板８１が介装されている。
周囲壁部７０の素材は透明な素材であり、例えばアクリル樹脂の他にもポリエチレンテレフタレート（ＰＥＴ），ポリカーボネート（ＰＣ）、飽和ポリエステル樹脂等である。
【００６４】
載置台６０には、内部にＡＣアダプター等の電源部が収納されている。天井部８０または仕切り板８１には、不図示の光源である例えばＬＥＤが装着されている。
【００６５】
本実施の形態では、載置台６０と周囲壁部７０と天井部８０によって画成される空間は、横方向に広げることはできないが、周囲壁部７０を重ねることによって高さを変えることによって内部空間の容積を拡張することができる。
【００６６】
次に、本発明の第３の実施の形態を説明する。
図１３から図１８までは、本発明の第３の実施の形態を示している。
本実施の形態は、第２の実施の形態における周囲壁部７０のような周囲壁部を複数に分割した周囲壁片７１，７２と、第１の実施の形態における支柱４０のように継ぎ足し可能な支柱９０とから構成されていることを特徴としている。
【００６７】
図１３に示したものは、円筒状の周囲壁部を縦に二等分に分割した周囲壁片７１である。また、図１４に示したものは、円筒状の周囲壁部を縦に四等分に分割した周囲壁片７２である。これら周囲壁片７１，７２の素材は透明な素材であり、例えばアクリル樹脂の他にもポリエチレンテレフタレート（ＰＥＴ），ポリカーボネート（ＰＣ）、飽和ポリエステル樹脂等である。
【００６８】
図１５は、図１４に示した周囲壁片７２を支柱９０によって連結した状態を示す平面図である。周囲壁片７２を使用する場合は、周囲壁片７２を４つ連結することによって円筒状の周囲壁部を構成することができる。なお、図１３に示した周囲壁片７１を使用する場合は、２つ連結することによって円筒状の周囲壁部を構成することができる。
【００６９】
図１６は、支柱９０を示す斜視図であり、図１７は、支柱９０の端面を示す平面図である。支柱９０は、円筒状に周囲壁片７１または周囲壁片７２の側縁を嵌め込むための２本の嵌入溝９１が支柱９０の延びる方向に刻設されている。この２本の嵌入溝９１は、支柱９０の中心軸を中心として１８０°異なる位置に配設されている。
【００７０】
この支柱９０を第１の実施の形態における支柱４０と同様に継ぎ足し可能なものとすることにより、育成する植物の生育状態に合わせて周囲壁片７１，７２を組み上げることができる。これにより、植物育成装置は、植物を収容する空間の高さを高くすることができる。
【００７１】
また、本実施の形態における不図示の載置台および天井部を第１の実施の形態における載置台１０および天井部３０のように支柱取付部が配設されたものとし、周囲壁片７１，７２を曲率半径の異なるものに変えることにより、植物を収容する空間の高さを高くするだけでなく横方向に広げることもできる。
したがって、本実施の形態は、第１の実施の形態の変形例における載置台１１０と天井部１３０との間に配設する周囲壁部の構成としてそのまま適用することができる。
【００７２】
図１８は、支柱９０の変形例を示す平面図である。この支柱１９０は、横断面が正方形状の筒体であり、その隣り合う２面には周囲壁片の側縁を嵌入させるための嵌入溝１９１が形成されている。これにより、一つの支柱１９０に取り付けられる２つの周囲壁片は、支柱１９０で直交する方向に向くことになる。
【００７３】
このため、支柱１９０を用いた植物栽培装置の周囲壁部は、周囲壁片が四角く４面を成すように配置されたものとなる。したがって、支柱１９０を用いたものは、第１の実施の形態における載置台１０と天井部３０との間に配設する周囲壁部の構成としてそのまま適用することができる。
【００７４】
以上、本発明の実施の形態を図面によって説明してきたが、具体的な構成は前述した実施の形態に限られるものではなく、本発明の要旨を逸脱しない範囲における変更や追加があっても本発明に含まれる。
【００７５】
例えば、天井部３０，１３０は、中心部材３１，１３１と該中心部材３１，１３１に組み合わせて天井部３０，１３０の拡張を可能とする拡張部材３２，３３，３４，１３２，１３３とを有するものとし、載置台１０，１１０を一部材のように図示して説明したが、載置台１０，１１０も天井部３０，１３０と同様に中心部材と拡張部材とを有して成るものとしてもよい。
【００７６】
また、天井部３０，１３０を一部材とし、載置台１０，１１０の方を天井部３０，１３０と同様の中心部材と拡張部材とを有して成るものとしてもよい。
【００７７】
さらに、載置台１０，１１０だけでなく天井部３０，１３０も載置台１０，１１０と同様の一部材のものとしてもよい。
【００７８】
また、支柱の数が４本のものを例示したが、３本でも良いし或いは５本以上のものであっても良い。
支柱を４本以上のものとした場合、例えば隣り合う２面に嵌入溝１９１を形成した支柱１９０と異なって相対する２面に嵌入溝を形成した支柱を支柱１９０と組み合わせても良い。この場合、周囲壁部が囲む載置台や天井部の面は、略正方形なものだけでなく、長方形、平行四辺形、その他の四角形にすることができる。また、四角形に限らず様々な多角形にすることもできる。
【００７９】
また、光源をＬＥＤとして説明したが、ＬＥＤに限られない。例えば、電球としても良いし、天井部が載置台と相対している面に有機ＥＬを配設したものとしても良い。
【産業上の利用可能性】
【００８０】
本発明は、植物の観賞や育成を目的とした植物栽培装置であるが、植物に限らず人工、自然物等の様々なオブジェ、アクセサリー等を収容して観賞するものとしても広く適用することができる。
【符号の説明】
【００８１】
Ｃ…カップ
１…植物栽培装置
２…植物栽培装置
１０…載置台
１１…上面
１２…支柱取付部
１３…支柱取付部
３０…天井部
３０Ａ…天井部
３１…中心部材
３２…拡張部材
３３…拡張部材
３４…拡張部材
４０…支柱
５０…光源
６０…載置台
７０…周囲壁部
７１…周囲壁片
７２…周囲壁片
８０…天井部
８１…仕切り板
９０…支柱
９１…嵌入溝
１００…栽培培地
１０１…植物
１１０…載置台
１１２…支柱取付部
１１３…支柱取付部
１３０…天井部
１３１…中心部材
１３２…拡張部材
１３３…拡張部材
１９０…支柱
１９１…嵌入溝
３１２…支柱取付部
３２３…支柱取付部
３３３…支柱取付部
３４３…支柱取付部
１３１２…支柱取付部
１３２３…支柱取付部
１３３３…支柱取付部
【図１】
2014147324.tif 000003
【図２】
2014147324.tif 000004
【図３】
2014147324.tif 000005
【図４】
2014147324.tif 000006
【図５】
2014147324.tif 000007
【図６】
2014147324.tif 000008
【図７】
2014147324.tif 000009
【図８】
2014147324.tif 000010
【図９】
2014147324.tif 000011
【図１０】
2014147324.tif 000012
【図１１】
2014147324.tif 000013
【図１２】
2014147324.tif 000014
【図１３】
2014147324.tif 000015
【図１４】
2014147324.tif 000016
【図１５】
2014147324.tif 000017
【図１６】
2014147324.tif 000018
【図１７】
2014147324.tif 000019
【図１８】
2014147324.tif 000020